(57)【特許請求の範囲】
【請求項１】
電磁誘導加熱用ワークコイル組立て体において、
一つの片状を呈する組立て胴体（１１０）を形成し、
組立て胴体（１１０）を複数繋合して調理容器の外側の周りに設ける電磁誘導加熱用ワークコイル組立て体（１００）を構成し、
組立て胴体（１１０）の上部に磁石（３００）の一方の側が引き込まれた状態で固定されるように取付孔（１２１−１）を形成した上部固定突起（１２１）と、上部固定突起（１２１）に対応するように組立て胴体（１１０）の外側の下部に磁石（３００）の他方の側が引き込まれた状態で固定されるように取付溝（１２２−１）を形成した下部固定突起（１２２）と、からなり、磁石（３００）を固定できるように組立て胴体（１１０）の外側に磁石固定部材（１２０）が複数に形成され、
組立て胴体（１１０）の磁石固定部材（１２０）に固定されて電磁誘導加熱用ワークコイル組立て体（１００）に設けられるワークコイル（２００）を固定する磁石（３００）が設けられ、
電磁誘導加熱用ワークコイル組立て体（１００）と磁石（３００）との間にワークコイルを設けて電磁誘導現象により食べ物を調理できるようにしたことを特徴とする電磁誘導加熱用ワークコイル組立て体。
【請求項２】
組立て胴体（１１０）は、
一方の側面には嵌合突起（１１１）を形成し、
嵌合突起（１１１）に対応するように他方の側面に嵌合溝（１１２）を形成して組立て胴体が互いに繋合されるようにしたことを特徴とする請求項１に記載の電磁誘導加熱用ワークコイル組立て体。
【請求項３】
組立て胴体（１１０）は、
他の組立て胴体（１１０）と互いに繋合して電磁誘導加熱用ワークコイル組立て体（１００）の直径を調節することを特徴とする請求項１に記載の電磁誘導加熱用ワークコイル組立て体。
【請求項４】
電磁誘導加熱用ワークコイル組立て体において、
電磁誘導加熱用ワークコイル組立て体（１００）は、
一方の側に磁石（３００）が設けられる磁石固定部材（１２０）と、
ワークコイル（２００）の一方の側を固定するための固定孔（１４１）が形成された固定突起（１４０）と、
調理容器の外側に設けられた取付部材と係合する係合突起（１３０）と、
他の組立て胴体（１１０）と組み合わせたときに、調理容器が配設される方向に突出するように形成してワークコイル（２００）と調理容器との間の距離を一定に保ち電磁誘導現象が起こり易いように働く突出部（１１３）と、を有する、片状を呈する組立て胴体（１１０）が複数に構成され、
複数に構成された組立て胴体（１１０）を繋合して調理容器の外側に設けることを特徴とする電磁誘導加熱用ワークコイル組立て体。
【請求項５】
磁石固定部材（１２０）は、
組立て胴体（１１０）の一方の側の上部に取付孔（１２１−１）が形成された上部固定突起（１２１）を構成し、
上部固定突起（１２１）に対応するように組立て胴体（１１０）の外側の下部に取付溝（１２２−１）を形成した下部固定突起（１２２）を構成することを特徴とする請求項４に記載の電磁誘導加熱用ワークコイル組立て体。
【発明の詳細な説明】
【技術分野】
【０００１】
本発明は、電磁誘導加熱用ワークコイル組立て体に係り、さらに詳しくは、電磁誘導加熱方式を用いて食べ物を調理できるように一つの片状を呈する組立て胴体を複数に繋合して調理容器の外側の周りに設ける組立て体を構成し、組立て体の外側の周りにコイル及び磁石が設けられる電磁誘導加熱用ワークコイル組立て体に関する。
【背景技術】
【０００２】
一般に、インダクションレンジは、磁力を用いて食べ物を調理する電磁誘導加熱方式の次世代電子調理器具である。電磁誘導加熱（Induction heating）方式とは、高効率磁力線誘導技術を応用したものを意味し、インダクションレンジの内側の誘導加熱コイルに交流電流を印加すれば磁力線が発生する。前記磁力線の中心に無数の渦電流（Eddy current）が発生して金属が有する電気抵抗により調理容器が発熱して調理する直接加熱方式であり、これを用いたインダクションレンジは、燃焼炎がない。そのため、既存の調理器具に比べて安定性と、経済性及び清浄性を有する次世代電子調理器具であるといえる。
この種のインダクションレンジに用いられるインダクションヒーティングコイルは、複数本の銅線を撚り合わせて形成した撚線を円形に巻き、ここに多数のフェライトコアを取り付けた支持板に係合してインダクションコイル板を構成する。
【０００３】
インダクションヒーティングコイルは、インダクションレンジのタイプに応じて、円板状又は中央部が凹んだ容器状や円板上の中央部の空間部を有する円状など、インダクションレンジの形状及び容量に応じて様々な形状を呈する。
このように銅撚線を円形の板状に巻いたインダクションヒーティングコイルは支持板に取り付けるが、支持板に取り付けられた後には、コイルが乱れたりほつれたりすることなく一定の形状を保つために接着剤などにより固定される形状を有する。
インダクションヒーティングコイルを一体に固定する方法として、銅線に絶縁被覆層であるエナメルワニス（Enamel Varnish）をコーティングした後、セルフボンディングワニスをコーティングした銅撚線を用いることが挙げられる。銅撚線を円形の板状に巻いた後、銅撚線に熱を加えてコーティングされたセルフボンディングワニス（Self-Bonding Varnish）を硬化させて一体に固定された円形の板状にする。このようなインダクションレンジのヒーティングコイルの詳細については、特許文献である大韓民国登録実用新案第２０−０３８７２５８号公報及び大韓民国公開特許第１０−２０１２−００９０５２６号公報に開示されている。
【０００４】
しかしながら、従来は、螺旋状に巻いたヒーティングコイルがコイルとコイルとの間に隙間なくぎっしりとくっついた状態でインダクションヒーティングコイルを製造する場合、コイルの使用量が増えてしまうという問題があった。なお、高価なコイルの使用量の増大は、インダクションレンジのコストを非経済的に上昇させ、生産性を低下させるという問題があった。
従来は、コイル及びコイルが密着されるが故に熱が均一に発熱されず、その結果、熱効率面からみてかなり非効率的であるという問題があった。
また、従来は、調理容器の外側にコイルを設け、コイルの一方の側に磁石を接着剤を用いて取り付けた状態で固定バーなどの部材を用いてコイル及び磁石を固定するように構成するため、作業性が格段に低下するという問題があった。
【０００５】
一方、このような問題を解消するために、大韓民国登録特許第１０−１０９６１０３号公報には、インダクションを用いた調理器具においてインダクションヒーティングコイルを巻線する構成において、同じ間隔を有するようにインダクションヒーティングコイルを巻線するためのインダクションヒーティングコイルの製造方法及びこれにより製造されるインダクションヒーティングコイルが開示されている。
しかしながら、前記大韓民国登録特許第１０−１０９６１０３号公報に開示されている技術は、ヒーティングコイルの同じ間隔を保つためのベース部材がコイル巻取板、コイルベース板、コイル結合具など３つで構成されているが故に構造が複雑であり、部品点数の増加によりコストが高騰するとともに、生産性が低下するという問題があった。
【発明の概要】
【発明が解決しようとする課題】
【０００６】
上述した問題を解消するための本発明は、調理容器の外側に渦電流（Eddy current）が発生して金属が有する電気抵抗により調理容器が発熱して食べ物を調理できるように片状の組立て胴体を複数に繋合して組立て体を構成し、組立て体の外側にワークコイル及び磁石が設けられるようにした電磁誘導加熱用ワークコイル組立て体を提供することを目的とする。
また、本発明は、ワークコイル及び磁石を固定するために用いる接着剤を用いることなく、組立て胴体に磁石を固定するだけでワークコイルが固定されるようにした電磁誘導加熱用ワークコイル組立て体を提供することを目的とする。
さらに、本発明は、電磁誘導加熱方式により食べ物を調理する調理容器の大きさに合うように、組立て体の直径（大きさ）を調節可能なようにした電磁誘導加熱用ワークコイル組立て体を提供することを目的とする。
加えて、本発明は、磁石及びワークコイルが設けられた組立て体と調理容器との間の距離が一定に保たれて、電磁誘導加熱現象が起こり易いようにした電磁誘導加熱用ワークコイル組立て体を提供することを目的とする。
【課題を解決するための手段】
【０００７】
上述した目的を達成するための本発明による電磁誘導加熱用ワークコイル組立て体は、一つの片状を呈する組立て胴体を形成し、前記組立て胴体を多数繋合して調理容器の外側の周りに設ける組立て体を構成し、組立て体の一方の側に磁石を設け、組立て体と磁石との間にワークコイルを設けて電磁気誘導現象により食べ物を調理できるようにしたことを特徴とする。
本発明の前記組立て胴体は、一方の側面には嵌合突起を形成し、嵌合突起に対応するように他方の側面に嵌合溝を形成して組立て胴体が互いに繋合されるようにしたことを特徴とする。
本発明の組立て胴体は、外側に磁石を固定できるように複数の磁石固定部材を構成することを特徴とする。
本発明の磁石固定部材は、組立て胴体の一方の側の上部に取付孔が形成された上部固定突起を構成し、前記上部固定突起に対応するように組立て胴体の外側の下部に取付溝を形成した下部固定突起を構成することを特徴とする。
本発明の前記組立て胴体は、他の組立て胴体と互いに繋合して組立て体の直径（大きさ）を調節することを特徴とする。
本発明の組立て体は、一方の側に磁石が設けられる磁石固定部材と、コイルの一方の側を固定するための固定孔が形成された固定突起及び調理容器の外側に設けられた取付部材と係合する係合突起が形成された片状の組立て胴体を複数に構成し、複数に構成した組立て胴体を繋合して調理容器の外側に設けることを特徴とする。
【発明の効果】
【０００８】
本発明は、組立て体にコイル及び磁石を手軽に取り付けるので作業し易く、電磁誘導加熱用ワークコイル組立て体の生産性が大幅に向上するという効果がある。
本発明は、片状の組立て胴体が互いに繋合されるように構成されるので、調理容器の外側の周りに合うように様々な直径（大きさ）に製作することができるという効果がある。
本発明は、ワークコイル及び磁石を固定するために用いられる接着剤を用いることなく組立て胴体に磁石を固定するだけでワークコイルが固定されるようにするので、作業時の利便性を向上させることができるという効果がある。
本発明は、磁石及びワークコイルが設けられた組立て体と調理容器との間の距離が一定に保たれるので電磁誘導加熱現象が起こり易いという効果がある。
【図面の簡単な説明】
【０００９】
【図１】本発明による電磁誘導加熱用ワークコイル組立て体の構造を示す構成図である。
【図２】本発明による電磁誘導加熱用ワークコイル組立て体の構成を示す断面図である。
【図３】本発明による電磁誘導加熱用ワークコイル組立て体にコイル及び磁石が設けられた状態を示す構成図である。
【図４】本発明による電磁誘導加熱用ワークコイル組立て体にコイル及び磁石が設けられた状態の構成を示す断面図である。
【図５】本発明による電磁誘導加熱用ワークコイル組立て体にコイル及び磁石が設けられて調理容器に設けられた状態を示す設置状態図である。
【発明を実施するための形態】
【００１０】
以下、添付図面に基づき、本発明による電磁誘導加熱用ワークコイル組立て体について詳細に説明する。
【００１１】
図１は、本発明による電磁誘導加熱用ワークコイル組立て体の構造を示す構成図であり、図２は、本発明による電磁誘導加熱用ワークコイル組立て体の構成を示す断面図であり、図３は、本発明による電磁誘導加熱用ワークコイル組立て体にコイル及び磁石が設けられた状態を示す構成図であり、図４は、本発明による電磁誘導加熱用ワークコイル組立て体にコイル及び磁石が設けられた状態の構成を示す断面図であり、図５は、本発明による電磁誘導加熱用ワークコイル組立て体にコイル及び磁石が設けられて調理容器に設けられた状態を示す設置状態図である。
【００１２】
図１から図５を参照すると、本発明による電磁誘導加熱用ワークコイル組立て体１００は、一つの片状を呈する組立て胴体１１０を構成し、前記組立て胴体１１０を複数に繋合して図示のように円形に構成し、前記組立て胴体１１０を繋合して組立て体１００の直径（大きさ）を調節する。
前記組立て胴体１１０の一方の側には、他の組立て胴体１１０と繋合できるように嵌合突起１１１及び嵌合溝１１２を側面にそれぞれ形成し、前記嵌合突起１１１及び嵌合溝１１２を締まりばめ方式を用いて組み合わせて複数の組立て胴体１１０が繋合されるようにする。
【００１３】
前記組立て胴体１１０の両側には、他の組立て胴体１１０と組み合わせたときに安定的に組み合わせられるように突出部１１３を形成する。
また、前記嵌合突起及び嵌合溝が形成された突出部１１３は、調理容器が配設される方向に突出するように形成してワークコイル２００と調理容器との間の距離が一定に保たれるようにするとともに、電磁誘導現象が起こり易いように働く。
さらに、前記組立て胴体１１０の一方の側には磁石３００が設けられるように複数の磁石固定部材１２０を構成し、前記磁石固定部材１２０は上部固定突起１２１及び下部固定突起１２２からなる。
【００１４】
前記上部固定突起１２１は、磁石３００が嵌め込まれるように取付孔１２１−１を組立て胴体１１０の一方の側の上部に形成する。前記下部固定突起１２２は、磁石３００が嵌め込まれて固定されるように取付溝１２２−１を組立て胴体１１０の一方の側の下部に形成する。
さらにまた、前記磁石固定部材１２０は、組立て胴体１１０にコイル２００が設けられるようにガイドの働きをする。
【００１５】
前記複数の磁石固定部材１２０の間には、調理機器１０の調理容器１１の外側に設けた取付部材（符号なし）のボルトと係合できるように係合孔１３１を有する係合突起１３０を形成する。
加えて、調理機器１０に設けられたコントローラ（図示せず）と繋合され易いように前記組立て体１００に巻かれるワークコイル２００の先端が固定できるように固定孔１４１を有する固定突起１４０を複数に構成して組立て胴体１１０に形成する。
【００１６】
上述したように構成した本発明による電磁誘導加熱用ワークコイル組立て体１００は、調理機器１０の調理容器１１の外側に設けられるように組立て胴体１１０の外側に形成した嵌合突起１１１を他の組立て胴体１１０に形成した嵌合溝１１２に係合して、図１及び図２に示すように、組立て体１００が調理容器の外側に設けられるように構成する。
【００１７】
前記複数の組立て胴体１１０を繋合した状態で磁石固定部材１２０の間にコイル２００を設け、コイル２００の先端を固定突起１４０の固定孔１４１に引き込んで調理機器１０に構成したコントローラー（図示せず）と電気的に接続できるようにする。
前記組立て体１００にコイル２００を設けた状態で上部固定突起１２１に形成した取付孔１２１−１に磁石３００をはめ込んで組立て胴体１１０の下端に形成した下部固定突起１２２の取付溝１２２−１に固定されるように係合する。すなわち、前記組立て体１００に設けたワークコイル２００は、組立て体１００に設けた複数の磁石３００により巻かれた状態が安定的に保たれる。
上述したように、コイル２００及び磁石３００が設けられた組立て体１００を、調理容器１１の外側に構成した複数の取付部材２０のボルト２１及びナット２２を介して固定する。
【００１８】
前記組立て体１００を、取付部材２０で固定した状態で、組立て体１００に巻かれたコイル２００を調理機器１０のコントローラーと電気的に接続して制御を受けるようにする。
前記調理容器１１の外側にコイル２００及び磁石３００が設けられた組立て体１００を設けた状態で、コントローラーの電源ボタン（図示せず）を操作してオンにした状態で温度調節ボタンを用いて温度を設定すると、前記組立て体１００に設けたワークコイル２００及び磁石３００により電磁誘導加熱現象が起こる。
前記電磁誘導加熱現象により食べ物を調理できるように調理容器１１は発熱する。
【００１９】
上述したように、本発明は、片状を呈する組立て胴体１１０を繋合して組立て体１００を構成するので、調理容器１１の外側の周りに合うように組立て体１００の直径（大きさ）を調節するので、電磁加熱誘導方式を利用する製品には汎用性よく用いることができるというメリットがある。
また、従来には、コイル２００及び磁石３００を設けるために接着物質を用いたが、本発明は、従来のように接着物質を用いることなくコイル２００及び磁石３００を設けることができるので、生産性及び作業の利便性が向上する。
【産業上の利用可能性】
【００２０】
本発明は、電磁加熱誘導方式を利用する調理機器に汎用性よく利用することができる。
【図１】
0006381684.tif 000002
【図２】
0006381684.tif 000003
【図３】
0006381684.tif 000004
【図４】
0006381684.tif 000005
【図５】
0006381684.tif 000006